【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
方法であって、
第１及び第２のタッチスクリーンを有するデバイスを提供すること、
第１及び第２の動作モードから選択すること、
前記第１の動作モードにおいて、複数のキーを有する仮想キーボードを提示することであって、前記仮想キーボードの第１の部分は、前記第１のタッチスクリーンの第１の部分を使用して提示され、前記仮想キーボードの第２の部分は、前記第２のタッチスクリーンの第１の部分を使用して提示され、前記仮想キーボードの１つまたは複数のキーの間隔およびサイズが、第１および第２のタッチスクリーンの両方にわたる仮想キーボードの表示に対する第１および第２のタッチスクリーン間の分離線に対応して変更される、前記第１の動作モードにおいて、複数のキーを有する仮想キーボードを提示すること、
前記第２の動作モードにおいて、第３の部分および第４の部分に仮想キーボードを提示することを備え、
前記仮想キーボードの第３の部分は、前記第１のタッチスクリーンの実質的全体に提示され、
前記仮想キーボードの第４の部分は、前記第２のタッチスクリーンの第２の部分に提示され、前記第２のタッチスクリーンの第２の部分は、前記第２のタッチスクリーンの全体よりも小さい、方法。
【請求項２】
第１及び第２の動作モードから選択することは、前記第１及び第２のタッチスクリーンの向きを決定することを含み、前記第１の動作モードは、前記第１及び第２のタッチスクリーンが縦向きモードにあると決定することに応じて選択され、前記第２の動作モードは、前記第１及び第２のタッチスクリーンが横向きモードにあると決定することに応じて選択される、請求項１に記載の方法。
【請求項３】
前記縦向きモードはデュアル縦向きモードであり、前記横向きモードはデュアル横向きモードであること、および前記第１の動作モードにおいて、前記第１のタッチスクリーンの第２の部分を使用して第１の情報を提示することのうちの少なくとも１つを備える、請求項２に記載の方法。
【請求項４】
前記第２のタッチスクリーンの第２の部分を使用して第２の情報を提示することをさらに含む、請求項３に記載の方法。
【請求項５】
前記第２の動作モードにおいて、
前記第２のタッチスクリーンを使用して前記第１の情報及び前記第２の情報の表示を提示することをさらに含む、請求項４に記載の方法。
【請求項６】
前記第１の動作モードでの前記仮想キーボードの提示が、前記第２の動作モードでの前記仮想キーボードの提示と比較して修正されており、前記修正は、前記第１のタッチスクリーンと前記第２のタッチスクリーンとにわたって前記仮想キーボードの１つまたは複数のキーを配列することを含み、前記仮想キーボードは、インタリーブ方式の間隔を有する、請求項１に記載の方法。
【請求項７】
前記仮想キーボードは、前記第２の動作モードでの寸法と同じ前記第１の動作モードでの少なくとも１つの寸法を有すること、前記デバイスが第１の向きにある場合に、前記第１の動作モードとなり、前記デバイスが第２の向きにある場合に、前記第２の動作モードとなること、前記仮想キーボードは、仮想英数字キーボードであることのうちの少なくとも１つを備える、請求項１に記載の方法。
【請求項８】
デバイスであって、
タッチセンサ式ディスプレイエリアを含む第１の画面と、
タッチセンサ式ディスプレイエリアを含む第２の画面と、
メモリと、
プロセッサと、
前記メモリに格納され、前記プロセッサによって実行されるアプリケーションプログラミングと
を備え、前記アプリケーションプログラミングは、
第１の動作モードにおいて、前記第１の画面の前記タッチセンサ式ディスプレイエリアの第１の部分を使用し、且つ、前記第２の画面の前記タッチセンサ式ディスプレイエリアの第１の部分を使用して、複数のキーを有する仮想キーボードを表示し、前記仮想キーボードの１つまたは複数のキーの間隔およびサイズが、第１および第２のタッチスクリーンの両方にわたる仮想キーボードの表示に対する第１および第２のタッチスクリーン間の分離線に対応して変更され、
第２の動作モードにおいて、前記第１の画面及び前記第２の画面のタッチセンサ式ディスプレイエリアのうちの第２の部分のいかなる部分も使用することなく、前記第１の画面及び前記第２の画面のタッチセンサ式ディスプレイエリアのうちの第１のタッチセンサ式ディスプレイエリアの実質的全体を使用して、前記仮想キーボードを表示するよう動作可能であり、
前記第２の画面の第２の部分は、前記第２の画面の全体よりも小さい、デバイス。
【請求項９】
前記第２の動作モードにおいて、前記第１の画面と第２の画面のうちの第１の画面の全体が、前記仮想キーボードを表示するために使用される、請求項８に記載のデバイス。
【請求項１０】
加速度計をさらに備え、前記加速度計は、第１及び第２のタッチスクリーンの向きの表示を前記アプリケーションプログラミングに提供するよう動作可能であり、第１の画面が縦向き方向にある間及び前記第２の画面が縦向き方向にある間に前記第１の動作モードとなる、請求項８に記載のデバイス。
【請求項１１】
前記仮想キーボードは、前記第１の動作モードでは第１の構成にあり、前記仮想キーボードは、前記第２の動作モードでは第２の構成にある、請求項１０に記載のデバイス。
【請求項１２】
前記仮想キーボードは、ユーザにＱＷＥＲＴＹキーボードを提示し、前記第１の動作モードでは、前記第１の画面と前記第２の画面との間の線は、ＴキーとＹキーとの間、ＧキーとＨキーとの間、ＶキーとＢキーとの間に延在する、請求項１１に記載のデバイス。
【請求項１３】
格納されたコンピュータ実行可能命令を有する非一時的コンピュータ可読媒体であって、前記コンピュータ実行可能命令は、仮想キーボードを提供するための方法をプロセッサに実行させ、前記コンピュータ実行可能命令は、
第１の画面および第２の画面のうちの少なくとも１つを有する複数画面デバイスに仮想キーボードを表示するための要求を受信させる命令と、
前記複数画面デバイスが第２の動作モードにあるかどうかを決定させる命令と、
前記第２の動作モードにおいて、第１のタッチスクリーンの実質的全体および第２のタッチスクリーンの第２の部分に仮想キーボードを表示させる命令とを備える、非一時的コンピュータ可読媒体。
【請求項１４】
前記第１及び第２のタッチスクリーンの向きを決定させる命令をさらに備え、
前記第１及び第２のタッチスクリーンは、横向きモードにあると決定される、請求項１３に記載の非一時的コンピュータ可読媒体。
【請求項１５】
前記複数画像デバイスの向きの変更を受信させる命令と、
前記向きの変更に応答して、前記第１および第２のタッチスクリーンの向きを決定させる命令であって、前記第１および第２のタッチスクリーンの縦向きモードであると決定される、前記第１および第２のタッチスクリーンの向きを決定させる命令と、
前記向きの変更に応答して、仮想キーボードの第１の部分を、第１のタッチスクリーンの第１の部分を用いて表示させ、前記仮想キーボードの第２の部分を、第２のタッチスクリーンの第２の部分を用いて表示させる命令とをさらに備え、
前記第１のタッチスクリーンの第１の部分は、第１のタッチスクリーンディスプレイエリアの全体よりも小さいこと、前記第２のタッチスクリーンの第２の部分は、第２のタッチスクリーンディスプレイエリアの全体よりも小さいこと、および前記第１および第２のタッチスクリーンにおける仮想キーボードの少なくとも幾つかのキーは、縦向きであると決定され、前記第１および第２のタッチスクリーン間の境界に対応して離間して変更されることのうちの少なくとも１つを備える、請求項１４に記載の非一時的コンピュータ可読媒体。